(57)【特許請求の範囲】
【請求項１】
排液を吸引する排液流入口、吸引手段に接続して気体領域を減圧する吸引口および大気に開口した空気導入口を有する筐体を有し、
前記筐体内に、
前記排液流入口に連通し吸引した前記排液を溜置く排液回収部と、
前記吸引口に連通し前記排液回収部と前記気体領域との間に設けられた水封部と、
前記空気導入口と前記気体領域との間に設けられて前記排液を吸引する吸引圧を調整する圧力調整部とを有し、
前記圧力調整部において、空気が流れる空気流通部に調圧水とともに多孔体を有する、壁吸引バッグであって、
前記多孔体は、多数の孔を有し三次元的に伸びる壁部から構成され、前記多孔体の前記三次元的に伸びる壁部の鉛直方向に空気が流れる流路が、スリット、開口、または切欠きで形成されていることを特徴とする、壁吸引バッグ。
【請求項２】
前記スリットは、鉛直方向に不連続で複数形成されていることを特徴とする請求項１に記載の壁吸引バッグ。
【請求項３】
前記多孔体には消泡剤が含有されていることを特徴とする請求項１または請求項２に記載の壁吸引バッグ。  
【発明の詳細な説明】
【技術分野】
【０００１】
本発明は、例えば手術室の壁面等に設けられている吸引手段に接続して排液を回収する壁吸引バッグに関する。
【背景技術】
【０００２】
従来より、手術室の壁面等に設けられている吸引手段に接続して、患者の腹腔や胸腔等の体腔に溜まった血液などの体液を所定の吸引圧で吸引し、排液を回収する排液回収容器が知られている。このような壁面に設けられている吸引手段では吸引圧力を調整することが困難であるために、排液回収容器に簡易な圧力調整部を設けて吸引圧が調整されている（例えば、特許文献１参照）。
【０００３】
図１に示すように、特許文献１に記載の排液回収容器１００は、吸引した排液を溜置く集液部１０２と、この集液部１０２と上部で気体流通的に連通する水封部１０１と、集液部１０２と反対側に設置され水封部１０１と気体流通的に連通する吸引圧設定部１０３を有する。
【０００４】
集液部１０２には、患者に接続される体液流入口１０８が設置されており、室内は隔壁１０９により複数個の集液室１１０に分割されている。
水封部１０１には、吸引ポンプ等の吸引源に接続する吸引源接続部１０４が設けられており、室内は隔壁１０５によって下部で連通した細管１０６と小室１０７に分けられている。吸引源接続部１０４は、小室１０７に連通している。
また、吸引圧設定部１０３は、上端部に大気に開放された開口１１１を有する細管１１２と、底面近傍で気液流通的に連通し調圧水１１４が投入される小室１１３とを有し、吸引圧を調圧水１１４の高さＨの水柱圧に調整する役目を果たす。
【先行技術文献】
【特許文献】
【０００５】
【特許文献１】特開平１１−１７８９１５号公報（第２図）
【発明の開示】
【発明が解決しようとする課題】
【０００６】
ところで、前述したような排液回収容器１００の吸引圧設定部１０３では、空気が調圧水１１４を通過する際に形成される気泡が吸引される気体領域に移行する際に大きな音が発生するとともに、調圧水１１４の液面の変動が大きいという問題が指摘されている。
この問題を解決するために、小室１１３に多孔体を設ける試みが行なわれており、消音および液面の変動の抑制に一定の効果が得られている。
しかしながら、調圧水１１４に入れられた多孔体の内部に空気が蓄積するため、調圧水の水位の上昇が大きくなり、正確な吸引圧が把握できずに患者等に負担をかける場合があるという問題がある。
【０００７】
そこで、本発明は、上記問題点に解決するためになされたもので、気泡が壊れる際の音を小さくするとともに、空気による水位の上昇を抑制して、正確な吸引圧を把握することのできる壁吸引バッグを提供することを目的とする。
【課題を解決するための手段】
【０００８】
上記課題を解決するために、本発明の壁吸引バッグは、排液を吸引する排液流入口、吸引手段に接続して気体領域を減圧する吸引口および大気に開口した空気導入口を有する筐体を有し、前記筐体内に、前記排液流入口に連通し吸引した前記排液を溜置く排液回収部と、前記吸引口に連通し前記排液回収部と前記気体領域との間に設けられた水封部と、前記空気導入口と前記気体領域との間に設けられて前記排液を吸引する吸引圧を調整する圧力調整部とを有し、前記圧力調整部において、空気が流れる空気流通部に調圧水とともに多孔体を有する、壁吸引バッグであって、前記多孔体は、多数の孔を有し三次元的に伸びる壁部から構成され、前記多孔体の前記三次元的に伸びる壁部の鉛直方向に空気が流れる流路が、スリット、開口、または切欠きで形成されている。
【０００９】
この構成により、筐体の吸引口を吸引手段に接続して気体領域を減圧することにより、排液流入口から排液を吸引して排液回収部に回収する。このとき、圧力調整部では、空気導入口から調圧水を通って大気を気体領域に導入されるので、排液流入口からの吸引圧は、略一定の圧力に調整される。また、このとき、調圧水を通過する空気により泡ができるが、調圧水に設けられている多孔体が泡を細分化して消失させるので、泡が壊れる際の音を消すことができる。さらに、多孔体に設けられている流路に沿って空気（泡）が流れるので、多孔体内部に空気が蓄積して水位の上昇が大きくなるのを防止でき、調圧水の液面の高さから正確な吸引圧を把握することができる。
【００１０】
また、本発明の壁吸引バッグは、前記流路が鉛直方向に設けられたスリットである構成を有している。
【００１１】
この構成により、多孔体に設けた流路が鉛直方向に設けられたスリットなので、調圧水を通過する空気は、スリットに沿って容易に上昇し、気体領域に導入される。
【００１２】
また、本発明の壁吸引バッグは、前記スリットが、鉛直方向に不連続で複数形成されている構成を有している。
【００１３】
この構成により、スリットは鉛直方向に不連続で複数形成されているので、泡はスリットから上側の別のスリットに移動しながら上昇することができる。また、スリットは鉛直方向に不連続なので、多孔体は所定の形状を維持することができ、取り扱いが容易になる。
【００１４】
さらに、本発明の壁吸引バッグは、前記多孔体には消泡剤が含有されている構成を有している。
【００１５】
この構成により、多孔体には消泡剤が含有されているので、泡は多孔体内部をよりスムーズに上昇し、多孔体内部に空気がたまるのを効果的に防止することができる。
【発明の効果】
【００１６】
本発明は、圧力調整部において空気導入口から調圧水を通って大気を気体領域に導入することにより、吸引圧を略一定の圧力に調整している。このとき、調圧水を通過する空気により泡ができるが、調圧水に設けられている多孔体が泡を細分化して消失させるので、泡が壊れる際の音を消すことができる。さらに、多孔体に設けられている流路に沿って空気（泡）が流れるので、多孔体内部に空気が蓄積して水位の上昇が大きくなるのを防止でき、調圧水の液面の高さから正確な吸引圧を把握することができることに効果がある。
【図面の簡単な説明】
【００１７】
【図１】従来の排液回収容器の断面図である。
【図２】本発明の実施形態にかかる壁吸引バッグを透視した斜視図である。
【図３】本発明の実施形態にかかる壁吸引バッグの構成を示す断面図である。
【図４】（Ａ）は多孔体の斜視図であり、（Ｂ）は多孔体を横に広げた状態を示す斜視図である。
【図５】吸引圧読取管路における水位の変化の測定結果を示すグラフであり、（Ａ）は注水時、（Ｂ）は通気中、（Ｃ）は開放時である。
【図６】多孔体に設けた流路の変形例を示す斜視図である。
【図７】多孔体に設けた流路の別の変形例を示す斜視図である。
【図８】多孔体に設けた流路の別の変形例を示す斜視図である。
【図９】多孔体に設けた流路の別の変形例を示す斜視図である。
【図１０】（Ａ）〜（Ｆ）は、種々の形態の流路を設けた多孔体を用いた際の吸引圧読取管路における水位の変化の測定結果を示すグラフである。
【発明を実施するための最良の形態】
【００１８】
以下、図面に基づき，本発明の実施形態について述べる。
図２および図３に示すように、本発明の実施形態にかかる壁吸引バッグ１０は、患者等の生体から排出された体液等を、例えば手術室の壁面等に設けられた吸引手段(図示せず)により所定の吸引圧で吸引して、排液として回収するものである。
【００１９】
壁吸引バッグ１０は、例えば、一体の透明プラスチックス等で形成された外形が直方体の筐体１１を有し、筐体１１の上面である上板１１ａには、接続された排液チューブ１２ａを介して患者等から排液を吸引する排液流入口１２、吸引手段に接続された吸引チューブ１４ａを接続して筐体１１内の気体領域１３を減圧する吸引口１４および大気に開口した空気導入口１５が設けられている。
【００２０】
筐体１１内部には、排液流入口１２に連通し吸引した排液を溜置く排液回収部２０と、吸引口１４に連通し排液回収部２０と気体領域１３との間に設けられた水封部３０と、空気導入口１５と気体領域１３との間に設けられて排液を吸引する吸引圧を調整する圧力調整部４０とを有する。
【００２１】
排液回収部２０は、ここでは、上方２１ａにおいてのみ流通可能な仕切板２１により仕切られた、第１回収槽２２と第２回収槽２３を有する。なお、回収槽の数は、２つに限るものではない。
【００２２】
水封部３０は、上方３１ａのみ流通可能な隔壁３１を介して排液回収部２０に隣接しており、筐体１１の上板１１ａから下方に向けて形成され、下部３２ａのみ流通可能な仕切板３２により二つの領域である第１領域３３および第２領域３４に区分される。吸引口１４側の第２領域３４の断面積は、排液流入口１２側の第１領域３３の断面積よりも大きく形成されており、第１領域３３と第２領域３４との境界である仕切板３２の下部３２ａは、水封水Ｗ１で封止されている。
【００２３】
すなわち、第１領域３３は隔壁３１の上方３１ａにおいて排液回収部２０と連通し、第２領域３４の上方は気体領域１３に連通しており、気体領域１３を減圧した通常の吸引状態では、排液回収部２０側（患者側）よりも気体領域１３のほうが負圧であるために、第２領域３４の側の水面が第１領域３３の水面よりも高くなっている。
【００２４】
また、患者が咳やくしゃみをした後などに患者側の負圧が大きくなると、水封水Ｗ１は第１領域３３を上昇するが、第２領域３４の液面との差による水頭圧が気体領域１３と排液回収部２０との差圧と等しくなったところで第１領域３３の水封水Ｗ１の上昇が止まる。これにより、気体領域１３から排液回収部２０への空気の逆流が遮断される。
【００２５】
圧力調整部４０は、空気流通部として、例えば貯留部４１と、空気導入部４２と、吸引圧読取管路４３とを備え、貯留部４１には調圧水Ｗ２と多孔体４４が配置されている。貯留部４１は、下方４１ａのみが空気導入部４２と流通可能に接続されて貯留部４１内に空気を導くようになっている。また、貯留部４１は、吸引圧読取管路４３と上方及び下方が流通可能に接続されていて貯留部４１の上部は気体領域１３とされている。
すなわち、吸引手段に対して圧力調整部４０と水封部３０とは、並列に接続されることになる。
【００２６】
多孔体４４は、例えば、スポンジ様の発泡ポリウレタン等からなる多数の孔を有し三次元的に伸びる壁部から構成されており、貯留部４１に調圧水Ｗ２を貯留した場合における水面予定部(液面予定部)より上方の気体領域１３から貯留部４１と空気導入部４２の接続部（すなわち下端部）まで延在している。
【００２７】
図４（Ａ）および（Ｂ）に示すように、多孔体４４は全体矩形状をしており、空気（以後、調圧水Ｗ２における空気を「気泡Ｂ」という。）が流れる流路としてスリット４４ａが鉛直方向に不連続で複数形成されており、水平方向の力により容易に開くようになっている（図４（Ｂ）参照）。
なお、多孔体４４には例えばシリコーンのような消泡剤を含有させるのが望ましい。あるいは、多孔体４４をプラズマ処理により親水化させることもできる。このように親水化することにより、表面張力を低下させて気泡Ｂ（図１参照）を壊れやすくする。
【００２８】
これにより、多孔体４４は、下部が調圧水Ｗ２に浸漬されるとともに上部が気体領域１３に接し、多孔体４４の下部から入った気泡Ｂが多孔体４４内で細分化されるとともに消失する。このとき、スリット４４ａに沿って上昇できるので、多孔体４４の内部に気泡Ｂが蓄積されるのを阻止して水面の上昇が大きくなるのを防止する。
【００２９】
次に、図１および図２に基づいて壁吸引バッグ１０の作用について説明する。
１）図示しない吸引手段を作動させて、壁吸引バッグ１０内の気体領域１３の空気を吸引口１４から吸引する。
２）壁吸引バッグ１０内の空気を気体領域１３から吸引すると、気体領域１３が負圧となり、空気導入部４２及び排液流入口１２から壁吸引バッグ１０内に流入する吸引圧が形成される。
３）吸入すべき排液がある場合には、排液が排液流入口１２から排液回収部２０内に吸引され、排液は第１回収槽２２、第２回収槽２３の順に貯留される。
４）一方、空気導入部４２から気体領域１３に吸引される空気が貯留部４１内の調圧水Ｗ２を通過することにより、排液流入口１２の吸引圧が所定の圧力に調整される。
５）空気導入部４２から導入された空気は、空気導入部４２から貯留部４１に移行する際に気泡Ｂとなり、貯留部４１内の多孔体４４に入り込んで細分化されながらスリット４４ａに沿って上昇し、水面予定部近傍において気体領域１３と接する界面において消失する。この場合、貯留部４１の下部、空気導入部４２の下部及び吸引圧読取管路４３の下部は調圧水Ｗ２が流通可能に接続されているが、空気導入部４２から導入された空気は多孔体４４により遮られ、あるいは他の手段によって吸引圧読取管路４３への空気の侵入が防止されて多孔体４４内を上昇する。また、多孔体４４に消泡剤を含有させることにより、気泡Ｂはスムーズに上昇する。
６）一方、調圧水Ｗ２は、貯留部４１、空気導入部４２、吸引圧読取管路４３の下部で連通しているので、空気導入部４２から空気が流入しても貯留部４１と吸引圧読取管路４３は同一の水位となり、その結果、貯留部４１内の水位を吸引圧読取管路４３で読み取ることができ、排液回収部２０における吸引圧を設定・確認することができる。
【００３０】
次に、図５に基づいて、多孔体４４としてのスポンジ（空隙率９７％、セル約８個／２５ｍｍ）を入れた壁吸引バッグ１０について、圧力調整部４０の吸引圧読取管路４３における水位の測定結果について説明する。測定時は、（Ａ）貯留部４１に目盛り約１９ｃｍまで注水した注水時、（Ｂ）吸引口１４から吸引して貯留部４１に通気している通気中、（Ｃ）吸引口１４を開放した開放時である。また、スポンジにスリット４４ａおよび消泡剤を設けない場合、スリット４４ａを設け消泡剤を設けない場合、スリット４４ａおよび消泡剤を設ける場合（２回測定）について測定した。
【００３１】
図５に示すように、スポンジにスリット４４ａおよび消泡剤をともに設けない場合には、所定高さまで注水した後に通気すると、もっとも高くまで水面が上昇し、開放した後も水面はあまり下がらず蓄積された気泡Ｂによる水面の上昇が大きいことがわかる。
一方、スポンジにスリット４４ａを設けた場合には、消泡剤を設けない場合でもスリット４４ａを設けない場合に比して、通気中における水面の上昇が抑えられ、開放時には、注水時近くまで下降した。なお、スポンジにスリット４４ａおよび消泡剤をともに設けた場合、および一旦水を抜いて内部を乾燥させた後、再度注水して測定した２回目については、通気中の水面上昇をさらに抑えるとともに、開放時にはほぼ注水時と同じ高さまで下降した。
【００３２】
以上、説明した本発明の実施形態にかかる壁吸引バッグ１０によれば、筐体１１の吸引口１４を吸引手段に接続して気体領域１３を減圧することにより、排液流入口１２から排液を吸引して排液回収部２０に回収する。このとき、圧力調整部４０では、空気導入口１５から調圧水Ｗ２を通って大気が気体領域１３に導入されるので、排液流入口１２からの吸引圧は、略一定の圧力に調整される。また、このとき、調圧水Ｗ２を通過する空気により気泡Ｂができるが、調圧水Ｗ２に設けられている多孔体４４が気泡Ｂを細分化して消失させるので、気泡Ｂが気体領域１３に脱して壊れる際の音を消すことができる。さらに、多孔体４４に設けられている流路（スリット４４ａ）に沿って気泡Ｂが流れるので、多孔体４４内部に気泡Ｂが蓄積されて水位の上昇が大きくなるのを防止でき、調圧水Ｗ２の液面の高さから正確な吸引圧を把握することができる。
【００３３】
また、多孔体４４に設けた流路が鉛直方向に設けられたスリット４４ａなので、調圧水Ｗ２を通過する気泡Ｂは、スリット４４ａに沿って容易に上昇し、気体領域１３に導入される。
【００３４】
また、スリット４４ａは鉛直方向に不連続で複数形成されているので、気泡Ｂはスリット４４ａから上側の別のスリット４４ａに移動しながら上昇することができる。また、スリット４４ａは鉛直方向に不連続なので、多孔体４４は所定の形状を維持することができ、取り扱いが容易になる。
【００３５】
さらに、多孔体４４には消泡剤が含有されているので、気泡Ｂは多孔体４４内部をよりスムーズに上昇し、多孔体４４内部に気泡Ｂが蓄積されるのを効果的に防止することができる。
【００３６】
以上、本発明の好ましい実施例について詳述したが、本発明は係る壁吸引バッグ１０は上述した実施例に限定されるものではなく、特許請求の範囲に記載された本発明の要旨の範囲内において、種々の変形、変更が可能である。
例えば、上述した実施形態においては、気泡Ｂが流れる流路としてスリット４４ａを鉛直方向に不連続で複数形成した場合について説明したが、この他、図６に示す多孔体４５のように、幅方向に貫通する４個の開口４５ａを鉛直方向に設けた場合、図７に示す多孔体４６のように、幅方向に貫通する２個の開口４６ａを鉛直方向に設けた場合、図８に示す多孔体４７のように、鉛直方向に三角形の切欠き４７ａを設けた場合、図９に示す多孔体４８のように、鉛直方向に連続したスリット４８ａを設けて４分割した変形例が考えられる。
【００３７】
また、図１０には圧力調整部４０の吸引圧読取管路４３における水位の変化の測定結果が示されており、（Ａ）は流路を設けないスポンジそのままの場合、（Ｂ）は上述した実施形態のスリット４４ａを設けた場合、（Ｃ）〜（Ｆ）は上述した変形例について示されている。なお、図１０（Ａ）は図５において示したスリット４４ａおよび消泡剤を設けない場合と同じ場合であり、図１０（Ｂ）は図５において示したスリット４４ａおよび消泡剤を設けた場合と同じものである。変形例との比較のため、重ねて示した。
図１０からわかるように、前述した実施形態におけるスリット４４ａに限らず、気泡Ｂが流れる流路を設けることにより、水位の上昇を抑えることができる。
【符号の説明】
【００３８】
１０  壁吸引バッグ
１１  筐体
１２  排液流入口
１３  気体領域
１４  吸引口
１５  空気導入口
２０  排液回収部
３０  水封部
４０  圧力調整部
４１  貯留部（空気流通部）
４４  多孔体
４４ａ  スリット（流路）
Ｂ  気泡（空気）
Ｗ２  調圧水
【図１】
0005473062.tif 000002
【図２】
0005473062.tif 000003
【図３】
0005473062.tif 000004
【図４】
0005473062.tif 000005
【図５】
0005473062.tif 000006
【図６】
0005473062.tif 000007
【図７】
0005473062.tif 000008
【図８】
0005473062.tif 000009
【図９】
0005473062.tif 000010
【図１０】
0005473062.tif 000011